(57)【要約】【課題】ワイヤハーネスが挿通される筒状の挿通部へ容易に万遍なく止水材を充填し、しかも取付孔への強固な取り付けを可能とすること。【解決手段】グロメット１は、束ねられた複数本の電線Ｄを含むワイヤハーネスＷを挿通可能な挿通孔４を有する筒状の挿通部２と、この挿通部２の外周側に一体に形成された、被取付体の取付孔に係合可能なフランジ部３と、挿通部２とフランジ部３との間にて挿通部２の周方向へ間隔をあけて一体に形成されたリブ７と、一端側がリブ７の端面にて外部に開口し、そして他端側が挿通孔４内に開口した流路８と、を有する。【選択図】図１
2009129540.tif 000002
【特許請求の範囲】
【請求項１】
束ねられた複数本の電線を含むワイヤハーネスを挿通可能な挿通孔を有する筒状の挿通部と、
該挿通部の外周側に一体に形成された、被取付体の取付孔に係合可能なフランジ部と、
前記挿通部と前記フランジ部との間にて前記挿通部の周方向へ間隔をあけて一体に形成されたリブと、
一端側が前記リブの端面にて外部に開口し、そして他端側が前記挿通孔内に開口した流路と、
を備えていることを特徴とするグロメット。
【請求項２】
前記挿通部には、前記リブが形成されている部分から延長するように前記挿通孔内に突出する突条部が、前記挿通部の軸方向に沿って形成され、そして前記挿通孔における前記流路の開口部分が前記突条部に配置されていることを特徴とする請求項１に記載したグロメット。
【請求項３】
前記リブに形成された前記流路が途中で複数に分岐されて前記挿通部の軸方向に間隔あけて前記挿通孔内に開口していることを特徴とする請求項１または請求項２に記載したグロメット。
【請求項４】
前記挿通部の周方向にて異なる位置の前記流路の挿通孔における開口位置が前記挿通部の軸方向にずらされていることを特徴とする請求項１〜請求項３のいずれか一項に記載したグロメット。
【請求項５】
束ねられた複数本の電線を含むワイヤハーネスを挿通可能な挿通孔を有する筒状の挿通部と、該挿通部の外周側に一体に形成された、被取付体の取付孔に係合可能なフランジ部と、前記挿通部と前記フランジ部との間にて前記挿通部の周方向へ間隔をあけて一体に形成されたリブと、一端側が前記リブの端面にて外部に開口し、そして他端側が前記挿通孔内に開口した流路と、を備えたグロメットを用意する準備ステップと、
前記挿通部の挿通孔に前記ワイヤハーネスを挿通させる挿通ステップと、
前記リブの端面に開口する複数の流路のうちのいずれか一箇所の流路から止水材を注入する注入ステップと、
を含むことを特徴とする止水材の充填方法。
【発明の詳細な説明】
【技術分野】
【０００１】
本発明は、ワイヤハーネスに用いられるグロメットおよびその挿通部への止水材の充填方法に関する（尚、本発明の説明における『止水』は、水の浸入を阻止することに限らず、水、油、アルコール、等を含む液体全般に有効に作用することを意味するが、ここでは一般的に名称として広く用いられている『止水』を用いて説明する）。
【背景技術】
【０００２】
自動車等の車両において、ワイヤハーネスを車体パネル等の貫通孔に挿通させる場合、ワイヤハーネスの保護や固定のためにグロメットを介してワイヤハーネスを貫通孔に挿通させているのが一般的である。その場合、ワイヤハーネスを挿通させる部分に防水性が要求されるときには、グロメットの内部に止水材を充填して硬化させることにより、ワイヤハーネスを構成する電線と電線の隙間をシールしている（例えば、特許文献１や特許文献２参照）。
【０００３】
【特許文献１】実開平２−２４４２５号公報
【特許文献２】特開平１１−２３２９４８号公報
【発明の開示】
【発明が解決しようとする課題】
【０００４】
ところで、特許文献１のグロメットは、図１０に示すように、ワイヤハーネスＮが挿通される筒状の挿通部５１が狭いため、挿通部５１に繋がる管部５２から止水材Ｓを充填することが困難であり、また、管部５２から充填した止水材Ｓが筒部５１内にて偏って充填されることもあった。
【０００５】
これに対して特許文献２のグロメットは、図１１に示すように、挿通されるワイヤハーネスＷの周囲に形成された大きな充填室５３に止水材Ｓを充填するため、容易に止水材Ｓを充填することができるが、多量の止水材Ｓを充填する必要があり、止水材Ｓの固化に長い時間を要するという問題があった。
【０００６】
また、いずれのグロメットも、車体パネル等の取付壁（即ち、被取付体）の取付孔へ嵌め込まれるフランジ部５４の強度が弱く、取付壁から脱落し易いという問題もあった。
【０００７】
本発明は、上述した事情に鑑みてなされたものであり、その目的は、ワイヤハーネスが挿通される筒状の挿通部へ容易に万遍なく止水材を充填することができ、しかも取付孔への強固な取り付けが可能なグロメットおよび止水材の充填方法を提供することにある。
【課題を解決するための手段】
【０００８】
前述した目的を達成するために、本発明に係るグロメットは、下記（１）〜（４）を特徴としている。
（１）  束ねられた複数本の電線を含むワイヤハーネスを挿通可能な挿通孔を有する筒状の挿通部と、
該挿通部の外周側に一体に形成された、被取付体の取付孔に係合可能なフランジ部と、
前記挿通部と前記フランジ部との間にて前記挿通部の周方向へ間隔をあけて一体に形成されたリブと、
一端側が前記リブの端面にて外部に開口し、そして他端側が前記挿通孔内に開口した流路と、
を備えていること。
（２）  上記（１）の構成のグロメットにおいて、
前記挿通部には、前記リブが形成されている部分から延長するように前記挿通孔内に突出する突条部が、前記挿通部の軸方向に沿って形成され、そして前記挿通孔における前記流路の開口部分が前記突条部に配置されていること。
（３）  上記（１）または（２）の構成のグロメットにおいて、
前記リブに形成された前記流路が途中で複数に分岐されて前記挿通部の軸方向に間隔あけて前記挿通孔内に開口していること。
（４）  上記（１）〜（３）のいずれかの構成のグロメットにおいて、
前記挿通部の周方向にて異なる位置の前記流路の挿通孔における開口位置が前記挿通部の軸方向にずらされていること。
【０００９】
上記（１）のグロメットによれば、流路から止水材を注入することにより、ワイヤハーネスが挿通された挿通部の挿通孔内へ容易にかつ満遍なく止水材を充填することができる。また、挿通部とフランジ部との間にて周方向へ間隔をあけて一体にリブが形成されているので、フランジ部の強度を高め、被取付体の取付孔への強固な取り付けが可能となる。
上記（２）のグロメットによれば、挿通部には前記リブが形成されている部分から延長するように前記挿通孔内に突出する突条部が軸方向に沿って形成され、そして挿通孔における流路の開口部分が突条部に配置されているので、挿通孔に挿通されたワイヤハーネスの電線間に突条部を食い込ませ、これら突条部にて開口する流路から送り込まれる止水材を電線間に良好に充填させることができる。
上記（３）のグロメットによれば、リブに形成された流路が途中で複数に分岐されて軸方向に間隔あけて挿通孔内に開口しているので、挿通孔に送り出される止水材を、挿通孔の軸方向にて満遍なく充填させることができる。
上記（４）のグロメットによれば、周方向にて異なる位置の流路の挿通孔における開口位置が軸方向にずらされているので、各流路から挿通孔に送り出される止水材を、挿通孔の軸方向にて満遍なく充填させることができる。
【００１０】
また、上述した目的を達成するために、本発明に係る止水材の充填方法は、下記（５）を特徴としている。
（５）  束ねられた複数本の電線を含むワイヤハーネスを挿通可能な挿通孔を有する筒状の挿通部と、該挿通部の外周側に一体に形成された、被取付体の取付孔に係合可能なフランジ部と、前記挿通部と前記フランジ部との間にて前記挿通部の周方向へ間隔をあけて一体に形成されたリブと、一端側が前記リブの端面にて外部に開口し、そして他端側が前記挿通孔内に開口した流路と、を備えたグロメットを用意する準備ステップと、
前記挿通部の挿通孔に前記ワイヤハーネスを挿通させる挿通ステップと、
前記リブの端面に開口する複数の流路のうちのいずれか一箇所の流路から止水材を注入する注入ステップと、
を含むこと。
【００１１】
上記（５）の止水材の充填方法によれば、グロメットの挿通部の挿通孔にワイヤハーネスを挿通させ、リブの端面に開口する複数の流路のうちのいずれか一箇所の流路から止水材を注入すると、止水材がワイヤハーネスを構成する電線間に入り込む。このとき、止水材に残留した気泡が、止水材が注入された流路以外の他の流路へ押し出され、外部に放出される。これにより、挿通孔内にて気泡の残留なく、止水材を円滑かつ良好に充填させることができる。
【発明の効果】
【００１２】
本発明によれば、ワイヤハーネスが挿通される筒状の挿通部へ容易に万遍なく止水材を充填することができ、しかも取付孔への強固な取り付けが可能となる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図面に基づいて詳細に説明する。
【００１５】
（第１実施形態）
まず、第１実施形態について説明する。
【００１６】
図１〜図３は第１実施形態に係るワイヤハーネスのグロメットを示す図であって、図１はグロメットの斜視図、図２はグロメットの平面図、図３は図２におけるＩＩＩ−ＩＩＩ矢視断面図である。
【００１７】
図１〜図３に示すように、グロメット１は、全体が柔軟なゴムによって形成されたもので、筒状の挿通部２と、この挿通部２の外周側に一体に形成されたフランジ部３とを有しており、図示しない車体パネル等の取付壁（即ち、被取付体）の取付孔に嵌め込まれて固定されるようになっている。
【００１８】
挿通部２は、束ねられた複数本の電線Ｄを含むワイヤハーネスＷが挿通される挿通孔４を有しており、充填された止水材Ｓによって、ワイヤハーネスＷが挿通された挿通孔４内がシールされる。
【００１９】
フランジ部３は、挿通部２の一端側に湾曲した形状をなしており、その外周縁には、周方向にわたる係合溝５が形成されている。そして、このフランジ部３の係合溝５に、図示しない車体パネル等の取付壁の取付孔の内周縁が係合される。
【００２０】
また、グロメット１は、挿通部２とフランジ部３との間に、挿通部２の外周面から放射線状に延長するように、グロメット１（即ち、挿通部２）の周方向へ間隔をあけて一体に形成されたリブ７を有している。これらリブ７によって挿通部２とフランジ部３とは連結されている。
【００２１】
これらリブ７には、一端側がリブ７の端面にて外部に開口し、そして他端側が挿通部２の挿通孔４におけるグロメット１（即ち、挿通部２）の軸方向の略中央部分に開口した流路８が形成されている。
【００２２】
上記のグロメット１を用いる場合、まず、その挿通部２の挿通孔４にワイヤハーネスＷを挿通させた状態にて、各リブ７の端面に開口する流路８から図３中矢印イに示すように止水材Ｓを注入する。
【００２３】
このようにすると、それぞれの流路８に注入された止水材Ｓが図３中矢印ロに示すように流路８内を通り、図３中矢印ハに示すように挿通部２の挿通孔４内に送り込まれ、ワイヤハーネスＷを構成する電線Ｄ間に入り込みながら、挿通孔４内の隙間に充填される。
【００２４】
挿通孔４内に充填した止水材Ｓが硬化したら、グロメット１を車体パネル等の取付壁の取付孔（不図示）に嵌め込み、フランジ部３の係合溝５に取付孔の内周縁を係合させる。
【００２５】
以上、説明したように、上記第１実施形態に係るグロメット１によれば、流路８から止水材Ｓを注入することにより、ワイヤハーネスＷが挿通された挿通部２の挿通孔４内へ容易にかつ満遍なく止水材Ｓを充填することができる。また、挿通部２とフランジ部３との間にて周方向へ間隔をあけて一体にリブ７が形成されているので、フランジ部３の強度を高め、取付壁の取付孔への強固な取り付けが可能となる。
【００２６】
（第２実施形態）
次に、第２実施形態について、第１実施形態との相違点を中心に説明する。
【００２７】
図４は第２実施形態に係るグロメットの平面図、図５は第２実施形態に係るグロメットの一部を破断した斜視図である。
【００２８】
図４および図５に示すように、このグロメット１１は、その挿通部２のリブ７が形成されている部分から挿通孔４内に延長するように（即ち、リブ７の形成位置に対応して）挿通孔４内にそれぞれ突出する突条部１２を有している。これら突条部１２は、グロメット１１（即ち、挿通部２）の軸方向に沿って形成されており、先端へ向かって窄まる断面形状を有している。そして、各流路８の挿通孔４における開口部分が、突条部１２に配置されている。
【００２９】
そして、上記構造のグロメット１１では、挿通孔４に挿通されたワイヤハーネスＷの電線Ｄ間に突条部１２が食い込むため、これら突条部１２にて開口する流路８から送り込まれる止水材Ｓを電線Ｄ間に良好に充填させることができる。
【００３０】
（第３実施形態）
次に、第３実施形態について、第１実施形態との相違点を中心に説明する。
【００３１】
図６は第３実施形態に係るグロメットの断面図である。尚、図６では上述の止水材Ｓの流れを示す矢印イ、ロ、ハが描かれているが、見易くするために止水材Ｓ自体の図示は省略されている。
【００３２】
図６に示すように、このグロメット２１では、リブ７に形成した流路８が途中で複数の分岐路８ａに分岐され、各分岐路８ａが、グロメット２１（即ち、挿通部２）の軸方向に間隔あけて挿通孔４内に開口している。
【００３３】
そして、上記構造のグロメット２１では、各分岐路８ａが、軸方向に間隔あけて挿通孔４内に開口しているので、各分岐路８ａから挿通孔４に送り出される止水材Ｓを、グロメット２１（即ち、挿通孔４）の軸方向にて満遍なく充填させることができる。
【００３４】
（第４実施形態）
次に、第４実施形態について、第３実施形態との相違点を中心に説明する。
【００３５】
図７は第４実施形態に係るグロメットの断面図である。尚、図７では上述の止水材Ｓの流れを示す矢印イ、ロ、ハが描かれているが、見易くするために止水材Ｓ自体の図示は省略されている。
【００３６】
図７に示すように、このグロメット３１では、該グロメット３１（即ち、挿通部２）の周方向にて異なる位置の流路８の分岐路８ａ同士の挿通孔４における開口位置が、グロメット３１（即ち、挿通部２）の軸方向にずらされている。
【００３７】
そして、上記構造のグロメット３１では、各分岐路８ａが、グロメット３１（即ち、挿通部２）の軸方向に間隔あけて挿通孔４内に開口し、さらに、グロメット３１（即ち、挿通部２）の周方向にて異なる位置の流路８の分岐路８ａ同士は、挿通孔４における開口位置がグロメット３１（即ち、挿通部２）の軸方向にずらされているので、各分岐路８ａから挿通孔４に送り出される止水材Ｓを、グロメット３１（即ち、挿通部２）の軸方向にてより満遍なく充填させることができる。
【００３８】
尚、分岐路８ａを有していないグロメット１，１１においても、その周方向にて異なる位置の流路８の挿通孔４における開口位置を軸方向にずらせば、各流路８から挿通孔４に送り出される止水材Ｓを、挿通孔４の軸方向にて満遍なく充填させることができる。
【００３９】
（止水材の充填方法）
次に、挿通孔４への止水材Ｓの他の充填方法について説明する。
【００４０】
尚、ここでは、第３実施形態として示したグロメット２１を例にとって説明するが、その他の実施形態として示したグロメット１，１１，３１を用いてもよい。
【００４１】
ここでの止水材Ｓの充填方法では、図８に示すように、各リブ７の端面に開口する複数の流路８のうちのいずれか一箇所の流路８から図８中矢印イに示すように止水材Ｓを注入する。
【００４２】
このようにすると、注入された止水材Ｓが図８中矢印ロに示すように、各分岐路８ａに送り込まれ、これら分岐路８ａから図８中矢印ハに示すように、挿通部２の挿通孔４内に送り込まれる。すると、止水材Ｓは、ワイヤハーネスＷを構成する電線Ｄ間に入り込む。このとき、止水材Ｓに残留した気泡Ｋが、図８中矢印ニに示すように止水材Ｓが注入された流路８以外の他の流路８の分岐路８ａへ押し出され、図８中矢印ホに示すように各分岐路８ａを通り、図８中矢印ヘに示すように外部に放出される。
【００４３】
これにより、挿通孔４内では、気泡Ｋの残留なく、止水材Ｓを円滑かつ良好に充填させることができる。
【００４４】
尚、この充填方法を適用する場合、図９に示すように、一つの流路８を注入用として大径に形成し、他の流路８を気泡抜き用として止水材Ｓが入り込まないような小径に形成しても良い。
【００４５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００４６】
【図１】第１実施形態に係るワイヤハーネスのグロメットの斜視図である。
【図２】グロメットの平面図である。
【図３】図２におけるＩＩＩ−ＩＩＩ矢視断面図である。
【図４】第２実施形態に係るグロメットの平面図である。
【図５】第２実施形態に係るグロメットの一部を破断した斜視図である。
【図６】第３実施形態に係るグロメットの断面図である。
【図７】第４実施形態に係るグロメットの断面図である。
【図８】止水材の他の充填方法を説明するグロメットの断面図である。
【図９】充填に適したグロメットの平面図である。
【図１０】グロメットの従来例を示す断面図である。
【図１１】グロメットの従来例を示す断面図である。
【符号の説明】
【００４７】
１，１１，２１，３１：グロメット
２：挿通部
３：フランジ部
４：挿通孔
７：リブ
８：流路
８ａ：分岐路
１２：突条部
Ｄ：電線
Ｓ：止水材
Ｗ：ワイヤハーネス
【図１】
2009129540.tif 000003
【図２】
2009129540.tif 000004
【図３】
2009129540.tif 000005
【図４】
2009129540.tif 000006
【図５】
2009129540.tif 000007
【図６】
2009129540.tif 000008
【図７】
2009129540.tif 000009
【図８】
2009129540.tif 000010
【図９】
2009129540.tif 000011
【図１０】
2009129540.tif 000012
【図１１】
2009129540.tif 000013